(57)【要約】【課題】色変換モードにかかわらず、入力画像の純色領域を当該純色領域とは異なる領域と区別して表示することができる画像処理装置を提供する。【解決手段】純色範囲調整画面３０は、画像処理装置１に表示される画面であって、範囲調整部３２及びプレビュー部３６を含む。範囲調整部３２は、純色範囲を調整するための調整手段である。プレビュー部３６には、入力画像データと記憶されている純色情報とに基づいて抽出されたイエロー、マゼンタ及びシアンの純色領域がそれぞれの純色で表示され、抽出された黒の純色領域が例えば赤で表示され、純色領域以外の領域がグレーで表示される。範囲調整部３２において純色範囲（例えば色相とその幅）が調整された場合には、プレビュー部３６には、調整された純色範囲にさらに基づいて抽出された純色領域が表示される。【選択図】図４
2007184829.tif 000002
【特許請求の範囲】
【請求項１】
入力画像の純色領域を抽出する抽出手段と、
前記抽出手段により抽出された入力画像の純色領域を表示する表示手段と
を有する画像処理装置。
【請求項２】
前記抽出手段は、入力画像データと記憶されている純色情報とに基づいて入力画像の純色領域を抽出する
請求項１に記載の画像処理装置。
【請求項３】
純色範囲を調整するための調整手段をさらに有する
請求項１又は２に記載の画像処理装置。
【請求項４】
前記調整手段は、色相及びその幅を調整する
請求項３に記載の画像処理装置。
【請求項５】
前記調整手段は、黒の純色範囲として色相、彩度、及び色相並びに彩度の幅を調整する
請求項４に記載の画像処理装置。
【請求項６】
前記抽出手段は、前記調整手段により調整された純色範囲にさらに基づいて純色領域を抽出する
請求項３乃至５のいずれかに記載の画像処理装置。
【請求項７】
純色領域が抽出される画像領域を指定するための指定手段をさらに有する
請求項１乃至６のいずれかに記載の画像処理装置。
【請求項８】
前記指定手段は、入力画像に含まれる画像要素の指定を受け付ける
請求項７に記載の画像処理装置。
【請求項９】
前記抽出手段は、指定された画像領域に含まれる純色領域を抽出する
請求項７又は８に記載の画像処理装置。
【請求項１０】
純色情報を記憶する純色情報記憶手段をさらに有する
請求項１乃至９のいずれかに記載の画像処理装置。
【請求項１１】
入力画像には、複数の色変換モードのいずれかが設定され、
純色情報には、当該複数の色変換モードのそれぞれに対応するものが含まれる
請求項１乃至１０のいずれかに記載の画像処理装置。
【請求項１２】
純色情報には、ＲＧＢデータ及びＬａｂデータの少なくともいずれかが含まれる
請求項１乃至１１のいずれかに記載の画像処理装置。
【請求項１３】
前記抽出手段により抽出された入力画像の純色領域に対して純色変換を行う純色変換手段をさらに有する
請求項１乃至１２のいずれかに記載の画像処理装置。
【請求項１４】
純色情報には、純色の画素値が含まれ、
前記純色変換手段は、前記抽出手段により抽出された入力画像の純色領域に含まれる画素値を、純色情報に含まれる純色の画素値に変換する
請求項１３に記載の画像処理装置。
【請求項１５】
入力画像の純色領域を抽出する抽出手段と、
前記抽出手段により抽出された入力画像の純色領域を表示する表示手段と、
前記抽出手段により抽出された純色領域に対しては、当該純色領域とは異なる領域で用いられる色変換手法とは異なる手法を用いて色変換する色変換手段と
を有する画像処理システム。
【請求項１６】
入力画像の純色領域を抽出し、
前記抽出された入力画像の純色領域を表示する
画像処理方法。
【請求項１７】
入力画像の純色領域を抽出し、
前記抽出された入力画像の純色領域を表示し、
前記抽出された純色領域に対しては、当該純色領域とは異なる領域で用いられる色変換手法とは異なる手法を用いて色変換する
画像処理方法。
【請求項１８】
コンピュータを含む画像処理装置において、
入力画像の純色領域を抽出する抽出ステップと、
前記抽出された入力画像の純色領域を表示する表示ステップと
を前記画像処理装置のコンピュータに実行させるプログラム。
【請求項１９】
コンピュータを含む画像処理システムにおいて、
入力画像の純色領域を抽出する抽出ステップと、
前記抽出された入力画像の純色領域を表示する表示ステップと、
前記抽出された純色領域に対しては、当該純色領域とは異なる領域で用いられる色変換手法とは異なる手法を用いて色変換する色変換ステップと
を前記画像処理システムのコンピュータに実行させるプログラム。
【発明の詳細な説明】
【技術分野】
【０００１】
本発明は、画像の色を調整する画像処理装置に関する。
【背景技術】
【０００２】
プリンタ、複合機等の画像形成装置では、ディスプレイ等の表示装置に表示される色と、画像形成装置により出力される色とが一致することが求められている。しかしながら、イエロー（Ｙ）、マゼンタ（Ｍ）、シアン（Ｃ）、黒（Ｋ）等の１次色が印刷される場合、これらの色が単色で再現されず、他の色が混じってしまう場合がある。
【０００３】
特許文献１においては、純色再現が選択された場合、入力された１次色のカバレッジに対応するＣＭＹＫ−ＣＭＹＫ３次元ＬＵＴ（ＬｏｏｋＵｐ  Ｔａｂｌｅ）の格子点の不要なデータをリセットする手法が開示されている。しかしながら、この手法は、ＣＭＹＫプリントパスのあるプリンタに関するものであって、ＣＭＹＫカバレッジが取得される必要がある。ＧＤＩなどを介して描画処理が行われるＲＧＢ系プリンタの場合、ＣＭＹＫ画像はＲＧＢ画像に変換されるので、ＣＭＹＫカバレッジは取得されることができず、当該手法は有効ではない。また、ＣＭＹＫ画像を扱えるアプリケーションでは、ＣＭＹＫ画像は、色再現一致のために印刷インクプロファイルに基づいてＲＧＢデータへ変換される。このため、変換後のＲＧＢデータは、通常のＲＧＢデータの純色データからずれてしまい、純色再現が不可能である。
【０００４】
特許文献２においては、入力ＲＧＢから色相・彩度を求め、色相から再現すべき色に対する必要色と不要色を決定し、１次元ＬＵＴにより不要色を削除する手法が開示されている。しかしながら、この手法では、黒（Ｋ）データがＲ＝Ｇ＝Ｂからずれている場合、Ｋに対して純色で再現することが不可能である。
【０００５】
特許文献３においては、変更前後の画像を表示・確認しながら、色相指示とＲＧＢ指示とを連動させて両方の調整機能でＲＧＢ補正を行う手法が開示されている。しかしながら、この手法は線形に色相補正を行っているので、入力ＲＧＢデータが純色データから非線形なずれを生じている場合、全ての領域を純色に再現することは出来ない。
【０００６】
さらに、通常、プリンタは、入力画像の原稿種類に対応して標準用、写真用、ＣＡＤ用など最適な色変換(例えば、ＲＧＢ−ＣＭＹＫ変換)を行うので、純色再現のためのＲＧＢ値は、指定された色変換モード毎に異なる。しかしながら、特許文献１〜特許文献３に開示された手法では、この点が考慮されていない。
【０００７】
【特許文献１】特開２００１−１５２５４３号公報
【特許文献２】特許第２７５１２５６号明細書
【特許文献３】特開２０００−２３１６２４号公報
【発明の開示】
【発明が解決しようとする課題】
【０００８】
本発明は、上述した背景からなされたものであり、色変換モードにかかわらず、入力画像の純色領域を当該純色領域とは異なる領域と区別して表示することができる画像処理装置を提供することを目的とする。
【課題を解決するための手段】
【０００９】
上記目的を達成するために、本発明に係る画像処理装置は、入力画像の純色領域を抽出する抽出手段と、前記抽出手段により抽出された入力画像の純色領域を表示する表示手段とを有する。
【００１０】
好適には、前記抽出手段は、入力画像データと記憶されている純色情報とに基づいて入力画像の純色領域を抽出する。
好適には、純色範囲を調整するための調整手段をさらに有する。
【００１１】
好適には、前記調整手段は、色相及びその幅を調整する。
好適には、前記調整手段は、黒の純色範囲として色相、彩度、及び色相並びに彩度の幅を調整する。
好適には、前記抽出手段は、前記調整手段により調整された純色範囲にさらに基づいて純色領域を抽出する。
【００１２】
好適には、純色領域が抽出される画像領域を指定するための指定手段をさらに有する。
好適には、前記指定手段は、入力画像に含まれる画像要素の指定を受け付ける。
好適には、前記抽出手段は、指定された画像領域に含まれる純色領域を抽出する。
好適には、純色情報を記憶する純色情報記憶手段をさらに有する。
【００１３】
好適には、入力画像には、複数の色変換モードのいずれかが設定され、純色情報には、当該複数の色変換モードのそれぞれに対応するものが含まれる。
好適には、純色情報には、ＲＧＢデータ及びＬａｂデータの少なくともいずれかが含まれる。
【００１４】
また、好適には、前記抽出手段により抽出された入力画像の純色領域に対して純色変換を行う純色変換手段をさらに有する。
また、好適には、純色情報には、純色の画素値が含まれ、前記純色変換手段は、前記抽出手段により抽出された入力画像の純色領域に含まれる画素値を、純色情報に含まれる純色の画素値に変換する。
【００１５】
本発明に係る画像処理システムは、入力画像の純色領域を抽出する抽出手段と、前記抽出手段により抽出された入力画像の純色領域を表示する表示手段と、前記抽出手段により抽出された純色領域に対しては、当該純色領域とは異なる領域で用いられる色変換手法とは異なる手法を用いて色変換する色変換手段とを有する。
【００１６】
また、本発明に係る第１の画像処理方法は、入力画像の純色領域を抽出し、前記抽出された入力画像の純色領域を表示する。
【００１７】
また、本発明に係る第２の画像処理方法は、入力画像の純色領域を抽出し、前記抽出された入力画像の純色領域を表示し、前記抽出された純色領域に対しては、当該純色領域とは異なる領域で用いられる色変換手法とは異なる手法を用いて色変換する。
【００１８】
さらに、本発明に係る第１のプログラムは、コンピュータを含む画像処理装置において、入力画像の純色領域を抽出する抽出ステップと、前記抽出された入力画像の純色領域を表示する表示ステップとを前記画像処理装置のコンピュータに実行させる。
【００１９】
また、本発明に係る第２のプログラムは、コンピュータを含む画像処理システムにおいて、入力画像の純色領域を抽出する抽出ステップと、前記抽出された入力画像の純色領域を表示する表示ステップと、前記抽出された純色領域に対しては、当該純色領域とは異なる領域で用いられる色変換手法とは異なる手法を用いて色変換する色変換ステップとを前記画像処理システムのコンピュータに実行させる。
【発明の効果】
【００２０】
本発明に係る画像処理装置によれば、色変換モードにかかわらず、入力画像の純色領域を当該純色領域とは異なる領域と区別して表示することができる。
【発明を実施するための最良の形態】
【００２１】
まず、本発明の理解を容易にするために、本発明の背景を説明する。
図１は、ＲＧＢ系プリンタにおける色処理を示す図である。
図１に示すように、アプリケーション部２は、ＣＭＹＫ色空間の画像（以下、ＣＭＹＫ画像ともいう）をＲＧＢデータに変換してドライバ部４に対して出力する。アプリケーション部２において、ＲＧＢ変換は、設定されているＣＭＹＫプロファイルとＲＧＢプロファイルとに基づいて行われる。ここで、ＣＭＹＫプロファイルは、ＣＭＹＫ画像をデバイスに依存しない色空間であるＣＩＥＬＡＢ（Ｌ＊，ａ＊，ｂ＊）に変換するものである。また、ＲＧＢプロファイルは、このＬａｂデータをＲＧＢデータに変換するものである。
【００２２】
ドライバ部４は、例えばプリンタドライバであり、アプリケーション部２から受け取ったＲＧＢデータを、ユーザにより指定された色変換モードの情報とともに画像形成装置１０に対して送信する。このとき、彩度・明度の調整等の処理がユーザにより指定された場合、ドライバ部４は、ＲＧＢデータにその処理を施して送信する。
【００２３】
画像形成装置１０（例えば、プリンタ）において、コントローラ部６は、標準用、写真用など指定された色変換モード毎にＤＬＵＴ（色変換テーブル；Ｄｉｒｅｃｔ  ＬｏｏｋＵｐ  Ｔａｂｌｅ）を切り換えて、送信されたＲＧＢデータをＣＭＹＫデータに変換する。
【００２４】
このような処理において、アプリケーション部２では、純色のＲＧＢデータが本来のＲＧＢの純色のラインからずれることがある。また、純色のＲＧＢデータは、設定プロファイルにより異なってしまう。さらに、コントローラ部６では、純色再現のためのＲＧＢデータは、指定された色変換モードによって異なってしまうことがある。したがって、黒が単色の黒（Ｋ）ではなくプロセスＫ（ＣＭＹＫ混色）で印刷される、又はイエロー（Ｙ）に他の色が混じる等、１次色が単色で再現されないことがある。
【００２５】
図２は、ドライバ部４に入力されるＲＧＢ値を例示する図である。
図２に例示するように、黒（Ｋ）、イエロー（Ｙ）及びマゼンタ（Ｍ）それぞれのカバレッジ１００％，６０％，２０％のデータは、アプリケーション部２で設定されているＣＭＹＫプロファイル（プロファイルＡ、プロファイルＢ）の違いにより、異なるＲＧＢデータに変換されてドライバ部４に入力される。なお、本例では、アプリケーション部２のＲＧＢプロファイルは固定である。
【００２６】
図３は、ドライバ部４において設定される色変換モード毎に画像形成装置１０により純色再現されるＲＧＢ値を例示する図である。図３に例示するように、イエロー（Ｙ）及びマゼンタ（Ｍ）のデータでは、純色再現のＲＧＢ値は、設定される色変換モードにより異なることがある。
したがって、純色を再現するためには、図２に示されるドライバ部へ入力されるＲＧＢデータが、図３に示される各色変換モードでの純色ＲＧＢデータに変換されることが必要である。
【００２７】
次に、本発明の概要を説明する。
図４は、本発明の実施形態に係る画像処理装置において純色範囲の調整及び入力画像の純色領域の表示を例示する図であって、図４（Ａ）は入力画像を示し、図４（Ｂ）は純色範囲の調整方法を示し、図４（Ｃ）は入力画像から抽出された純色領域の表示方法を示す。
図４（Ｂ）に示すように、純色範囲調整画面３０は、範囲調整部３２、対象選択部３４及びプレビュー部３６を含む。範囲調整部３２は、純色範囲を調整するための調整手段であり、純色範囲は、例えば、シアン（Ｃ）、マゼンタ（Ｍ）及びイエロー（Ｙ）の色相及びその幅により決定される。また、黒（Ｋ）の純色範囲は、色相、彩度、及び色相並びに彩度の幅により決定される。色相、幅等は、範囲調整部３２に直接入力されてもよいし、矢印キー等により値を選択されて入力されてもよいし、いわゆるポップダウンメニューにより値を選択されてもよい。
【００２８】
対象選択部３４は、入力画像に含まれる画像要素のうち、ユーザが純色への変換を所望する画像要素を各色毎に指定するための指定手段である。例えば、対象選択部３４は、ラジオボタンにより構成され、「全て」の構成要素を指定するためのボタン、「文字、線、グラフィック」を指定するためのボタン、「文字、線」を指定するためのボタン、純色表示を指定しないためのボタンなどを含む。ユーザは、それぞれの色について、対象選択部３４に含まれるボタンのいずれかを押下して画像要素を指定する。
【００２９】
プレビュー部３６は、抽出された入力画像の純色領域を表示する。より具体的には、プレビュー部３６は、入力画像データと記憶されている純色情報とに基づいて抽出された入力画像の純色領域を表示し、範囲調整部３２において純色範囲が調整された場合には、調整された純色範囲にさらに基づいて抽出された純色領域を表示する。プレビュー部３６では、抽出されたイエロー、マゼンタ及びシアンの純色領域はそれぞれの純色で表示され、黒の純色領域は例えば赤で表示され、純色領域以外の領域はグレーで表示される。また、プレビュー部３６は、対象選択部３４において純色への変換が指定された画像要素の純色領域を純色で表示する。
【００３０】
例えば、黒及びイエローの純色再現対象が「文字、線、グラフィック」であり、黒の純色範囲として色相、彩度及び幅が全て０と記憶されており、イエローの純色範囲として色相及び幅がそれぞれ６０、５と記憶されている場合、純色領域は抽出されなかったので、プレビュー部３６には純色領域は表示されず、図４（Ａ）に示される入力画像がグレーで表示される。
【００３１】
ユーザが、図４（Ｃ）の矢印Ｓで例示するように、黒の純色領域の幅を５に、イエローの純色領域の色相及び幅をそれぞれ６５と１０に調整すると、黒の純色領域は図中の矢印Ｔで示されるように抽出されて表示され、イエローの純色領域は図中の矢印Ｕで示されるように抽出されて表示される。ここで、黒の純色領域は、太線で表示されてもよい。
このように、画像処理装置は、抽出された純色領域を表示するので、ユーザは、プレビュー部３６で純色領域を確認することができ、表示された純色領域を確認しながら純色範囲を調整することができる。
【００３２】
図５は、本発明の実施形態に係る画像処理装置に記憶されている色変換モード毎の純色情報を例示する図である。
図５に例示するように、純色情報は、色変換モード毎にＹＭＣＫ各色のそれぞれのカバレッジに対する純色再現ＲＧＢ値である。例えば、色変換モードが写真モードであり、カバレッジが１００％である場合、マゼンタ（Ｍ）の純色情報は、ＲＧＢそれぞれが２０８、０、１３４であるとして記憶されている。
【００３３】
なお、純色情報は、ＲＧＢ値に限定されず、ｓＲＧＢ空間でのＬａｂデータであってもよい。純色情報は、カバレッジ１％毎に記憶されていなくてもよく、例えば、カバレッジ１０％毎に、又は１／２５５単位で記憶されていてもよい。また、純色情報は１次色（ＣＭＹＫ）に限定されず、２次色のＲ（Ｙ＋Ｍ）、Ｇ（Ｃ＋Ｙ）、Ｂ（Ｍ＋Ｃ）であってもよい。
【００３４】
図６は、本発明の実施形態に係る画像処理装置における純色範囲の調整方法の変形例を例示する図である。
図６に例示するように、図４に示される対象選択部３４は、プレビュー部３６とは異なる画面に含まれてもよい。また、対象選択部３４において、対象の選択方法及びそのユーザインタフェースは特に限定されない。
【００３５】
図７は、純色領域が抽出される画像領域を指定する方法を説明する図であって、図７（Ａ）は純色領域が表示されるプレビュー部３６を示し、図７（Ｂ）はプレビュー部３６において純色領域抽出のために指定された画像領域を示し、図７（Ｃ）は指定された画像領域において抽出された純色領域を示す。図７（Ａ）に例示するように、プレビュー部３６は純色領域以外の領域をグレーで表示する。
【００３６】
このとき、図７（Ｂ）に例示するように、ユーザが、例えばマウス等のポインティングデバイス等を用いて、図中の領域Ｖで示される画像領域を指定する。この場合、本発明の実施形態に係る画像処理装置は、当該指定された画像領域に含まれる純色領域を抽出する。このため、図７（Ｃ）に例示するように、当該指定された画像領域内の黒の純色領域は、図中の矢印Ｘで示されるように抽出されて例えば赤色で表示され又は太線で表示され、イエローの純色領域は、図中の矢印Ｙで示されるように抽出されてイエローの純色で表示される。
【００３７】
次に、このような画像処理方法を実現する画像処理装置１を説明する。
図８は、本発明の実施形態に係る画像処理装置１の制御装置を中心としたハードウェア構成を示す図である。
図８に示すように、画像処理装置１は、ＣＰＵ１４及びメモリ１６などを含む制御装置１２、液晶表示装置あるいはＣＲＴ表示装置及びキーボード並びにマウスなどを含む表示・入力装置１８、ネットワークを介して画像形成装置１０と通信する通信装置２０、及びＨＤＤ、ＣＤあるいはＤＶＤ装置などの記録装置２２を含む。
【００３８】
図９は、本発明の実施形態に係る画像処理装置１及び画像形成装置１０の機能構成を示すブロック図である。
図９に例示するように、画像処理装置１は、アプリケーション部２及びドライバ部４を有し、ドライバ部４は、ＰＤＬ変換部４０、モード設定部４２、純色変換部４４及び色調整部４６を有する。また、画像形成装置１０は、コントローラ部６及び画像出力部を有し、コントローラ部６は、色変換部６０、色変換パラメータ記憶部６２、階調補正部６４、階調補正パラメータ記憶部６６、スクリーン部６８及びスクリーンパラメータ記憶部７０を有する。なお、図９に示された各構成のうち、図１に示された構成と実質的に同一のものには同一の符号が付されている。
画像処理装置１及び画像形成装置１０において、これらの機能はソフトウェア及びハードウェアのいずれにより実現されてもよく、例えば、記憶媒体２４（図８）又はネットワークを介して制御装置１２に供給され、メモリ１６にロードされて実行される。
【００３９】
画像処理装置１のドライバ部４において、ＰＤＬ変換部４０は、図示しないＯＳの描画処理部を介して、アプリケーション部２からの印刷データを受け付ける。ＰＤＬ変換部４０は、印刷データに対して後述する印刷モード設定、純色変換及びその他色調整がなされた後、これらの処理後の印刷データをページ記述言語（ＰＤＬ）に変換して、画像形成装置１０のコントローラ部６に対して出力する。
モード設定部４２は、例えば、標準モード、写真モード、ＷＥＢモード、プレゼンモード、ＣＡＤモードなど、ユーザにより設定された色変換モードに関する情報を印刷データに対して付与する。
【００４０】
純色変換部４４は、印刷データの画像（入力画像）の純色領域を抽出し、当該抽出された入力画像の純色領域を表示・入力装置１８のディスプレイに表示する。また、純色変換部４４は、純色範囲を調整するための純色範囲調整画面３０（図４）を表示・入力装置１８に表示し、ユーザから純色範囲の調整を受け付け、この調整された純色範囲にさらに基づいて純色領域を抽出して表示する。なお、純色変換部４４による純色変換処理については、後で詳述する。
色調整部４６は、ユーザにより調整される所定の色調整処理を受け付けて、印刷データに当該色調整を反映する。
【００４１】
画像形成装置１０のコントローラ部６において、色変換パラメータ記憶部６２は、色変換のための色変換テーブル（３ＤＬＵＴ）を記憶する。ここで、当該色変換テーブルは、２つの色空間のデータの対応関係を示す３次元のＬＵＴであり、例えば、ＲＧＢ色空間のデータとＣＭＹＫ色空間のデータとの対応関係を示す。
色変換部６０は、画像処理装置１のドライバ部４で設定された印字モード並びに色変換モード、及び色変換パラメータ記憶部６２に記憶されている３ＤＬＵＴ等の色変換テーブルに基づいて、画像処理装置１のドライバ部４から入力された画像データを、例えばＲＧＢ色空間のデータからＣＭＹＫ色空間のデータに色変換して、階調補正部６４に対して出力する。
【００４２】
階調補正パラメータ記憶部６６は、階調補正のための色変換テーブル（１ＤＬＵＴ）を記憶する。ここで、当該色変換テーブルは、所定の色空間（例えばＣＭＹＫ色空間）に含まれる色それぞれの階調を補正するための１次元のＬＵＴである。
階調補正部６４は、階調補正パラメータ記憶部６６に記憶されている１ＤＬＵＴ等の色変換テーブルに基づいて、色変換部６０から入力された画像データのそれぞれの色を階調補正して、スクリーン部６８に対して出力する。
【００４３】
スクリーン部６８は、スクリーンパラメータ記憶部７０に記憶されているスクリーンパラメータに基づいて、階調補正部６４から入力されたＣＭＹＫ色空間の画像データに対してスクリーン処理を施して２値画像を生成する。生成された２値画像は画像出力部に対して出力され、画像が記録用紙に印刷される。
【００４４】
図１０は、図９に示される純色変換部４４の機能構成を示すブロック図である。
図１０に示すように、純色変換部４４は、純色領域比較部４４０、表示データ生成部４４２、純色領域表示・選択部４４４、変換実行部４４６及び純色情報記憶部４４８を有する。
純色変換部４４において、純色情報記憶部４４８は、図５に示される純色情報を記憶する。記憶されている純色情報は、後述する純色領域比較部４４０及び変換実行部４４６により参照されて用いられる。
【００４５】
純色領域比較部４４０は、ユーザにより選択されたモードであってモード設定部４２（図９）により設定されたモードに関する純色情報を純色情報記憶部４４８から参照し、入力された第１のＲＧＢデータと当該純色情報とを比較して、第１のＲＧＢデータ（入力画像）の純色領域を抽出する。ここで、純色範囲は予め設定されており、例えば、黒（Ｋ）の純色範囲は色相、彩度及び幅のそれぞれにつき０であり、イエロー（Ｙ）の純色範囲は色相及びその幅のそれぞれにつき６０と５である。また、純色領域比較部４４０は、後述する純色領域表示・選択部４４４から調整後の純色範囲を受け付けて、当該調整後の純色範囲で第１のＲＧＢデータの純色領域を抽出する。純色領域比較部４４０は、抽出された純色領域を表示データ生成部４４２に対して出力する。
【００４６】
純色領域比較部４４０は、ユーザにより指定された画像領域を純色領域表示・選択部４４４から受け付ける。このとき、純色領域比較部４４０は、第１のＲＧＢデータに含まれる画像要素（文字、線、グラフィックなど）の指定を受け付けてもよい。この場合、純色領域比較部４４０は、指定された画像領域、画像要素に含まれる純色領域を抽出する。
【００４７】
表示データ生成部４４２は、純色領域比較部４４０による比較結果に基づいて、表示用の画像データを生成して純色領域表示・選択部４４４に対して出力する。ここで、表示用の画像データは、純色領域比較部４４０により抽出された純色領域を、抽出されたイエロー、マゼンタ、シアンの純色で表示するデータであり、抽出された黒の純色領域を例えば赤で表示するデータである。なお、表示データ生成部４４２は、純色領域とは異なる領域を例えばグレーで表示するデータを生成する。
【００４８】
純色領域表示・選択部４４４は、表示データ生成部４４２により生成された表示データを、純色範囲調整画面３０のプレビュー部３６に表示する。より具体的には、純色領域表示・選択部４４４は、プレビュー部３６において、純色領域をイエロー等の純色で表示し、純色領域とは異なる領域をグレーで表示して、純色領域と、当該純色領域とは異なる領域と、が区別されるように表示する。
【００４９】
純色領域表示・選択部４４４は、純色範囲調整画面３０の範囲調整部３２及び対象選択部３４を介してユーザにより調整された純色範囲及び画像要素（文字、線、グラフィックなど）の指定を受け付ける。また、純色領域表示・選択部４４４は、ユーザによりマウス等を介して指定される画像領域であって純色領域が抽出される画像領域を受け付けてもよい。純色領域表示・選択部４４４は、受け付けられた調整後の純色範囲、画像要素及び画像領域を純色領域比較部４４０に対して出力する。
【００５０】
変換実行部４４６は、第１のＲＧＢデータの抽出された純色領域に対して純色変換処理を施して第２のＲＧＢデータを生成する。このとき、変換実行部４４６は、純色領域比較部４４０により抽出された第１のＲＧＢデータの純色領域に含まれる画素値を、純色情報記憶部４４８に記憶されている純色情報に含まれる純色の画素値に変換する。より具体的には、変換実行部４４６は、抽出された純色領域の画素値と純色情報に含まれる純色の画素値とを比較し、純色領域に含まれる画素値を、ΔＲＧＢが最も近い純色情報ＲＧＢ値に変換する。
【００５１】
なお、ｓＲＧＢ空間でのＬａｂデータが純色情報記憶部４４８に記憶されている場合、変換実行部４４６は、第１のＲＧＢデータをＬａｂデータに変換し、ΔＥが最も近い純色情報のＬａｂ値を選択し、さらにＬａｂ値からＲＧＢ値に変換して第２のＲＧＢデータを生成する。また、変換実行部４４６は、ユーザにより指定された画像領域であって純色領域表示・選択部４４４を介して入力された画像領域の画素に対して純色変換処理を施してもよい。
【００５２】
図１１は、本発明の実施形態に係る画像処理装置１においてなされる純色変換処理（Ｓ１０）を示すフローチャートである。
図１１に示すように、ステップ１００（Ｓ１００）において、画像処理装置１の純色変換部４４は、ユーザが印刷画像データについて所定のモード選択画面（不図示）で純色変換モードを選択したか否かを判定する。純色変換部４４は、純色変換モードがユーザにより選択された場合、Ｓ１０２の処理に進み、そうでない場合、処理を終了する。
【００５３】
ステップ１０２（Ｓ１０２）において、純色変換部４４の純色領域比較部４４０は、純色情報記憶部４４８を参照して、ユーザにより指定された色変換モードに対応する純色情報を取得する。
ステップ１０４（Ｓ１０４）において、純色領域比較部４４０は、入力された第１のＲＧＢデータと取得された純色情報とを比較して、予め設定されている純色範囲で第１のＲＧＢデータの純色領域を抽出する。
【００５４】
ステップ１０６（Ｓ１０６）において、表示データ生成部４４２は、純色領域比較部４４０から入力された比較・抽出結果に基づいて表示用の画像データを生成する。
ステップ１０８（Ｓ１０８）において、純色領域表示・選択部４４４は、抽出された純色領域とそうでない領域とが区別されうるように、純色範囲調整画面３０のプレビュー部３６を表示する。
【００５５】
ステップ１１０（Ｓ１１０）において、純色領域表示・選択部４４４は、ユーザから純色範囲調整画面３０を介して純色範囲等の調整を受け付けたか否かを判定する。ここで、ユーザは、純色範囲調整画面３０のプレビュー部３６等を確認しながら純色範囲（色相、その幅など）等を選択する。純色領域表示・選択部４４４は、ユーザによる調整を受け付けた場合、Ｓ１１２の処理に進み、そうでない場合、純色変換処理を終了する。
【００５６】
ステップ１１２（Ｓ１１２）において、純色領域比較部４４０は、ユーザにより調整された純色範囲等に基づいて、第１のＲＧＢデータの純色領域を抽出する。
ステップ１１４（Ｓ１１４）において、表示データ生成部４４２は、純色領域比較部４４０による比較・抽出結果に基づいて表示用の画像データを生成し、純色領域表示・選択部４４４は、新たに抽出された純色領域とそうでない領域とが区別されうるように、純色範囲調整画面３０のプレビュー部３６を表示する。
【００５７】
ステップ１１６（Ｓ１１６）において、純色領域表示・選択部４４４は、ユーザが純色に変換したい画像領域をマウス等を用いて指定する等により、変換領域が決定されたか否かを判定する。純色領域表示・選択部４４４は、変換領域が決定された場合、Ｓ１１８の処理に進み、そうでない場合、Ｓ１１４の処理に戻る。
ステップ１１８（Ｓ１１８）において、変換実行部４４６は、抽出された純色領域の画素値と純色情報とに基づいて、当該純色領域に対して純色変換処理を施して第２のＲＧＢデータを生成する。この第２のＲＧＢデータは、純色領域に含まれる画素値が、ユーザにより設定された色変換モードに対応する純色ＲＧＢデータに変換されて生成されたものである。
【００５８】
以上説明したように、本発明の実施形態に係る画像処理装置１は、入力画像の純色領域を抽出する抽出手段と、前記抽出手段により抽出された入力画像の純色領域を表示する表示手段とを有する。これにより、画像処理装置１は、色変換モードにかかわらず、入力画像の純色領域を当該純色領域とは異なる領域と区別して表示することができる。
【００５９】
また、画像処理装置１は、入力画像データと記憶されている純色情報とに基づいて入力画像の純色領域を抽出する。これにより、画像処理装置１は、色変換モードにかかわらず、入力画像の純色領域を表示することができる。
また、画像処理装置１は、純色範囲を調整するための調整手段をさらに有する。これにより、ユーザは、純色領域をプレビュー画面で確認しながら調整を行うことができ、確認のための無駄な印刷をすることなく、簡単に所望の領域を純色に補正することができる。
【００６０】
さらに、画像処理装置１は、ＲＧＢデータ及びＬａｂデータの少なくともいずれかを含む純色情報を記憶し、抽出された入力画像の純色領域に対して純色変換を行う純色変換手段をさらに有する。これにより、ＲＧＢ系のプリンタドライバでＣＭＹＫ画像をプリントする場合においても、純色の再現が簡単に行われることができる。
【００６１】
次に、本発明の第２の実施形態に係る画像処理システムについて説明する。
図１２は、本実施形態に係る画像処理装置１及び画像形成装置１０の機能構成を示すブロック図である。
本実施形態に係る画像処理装置１のドライバ部４は、純色変換部４４の替わりに純色領域選択部４８を有し、画像形成装置１０のコントローラ部６は、画像合成部７２及び純色変換部７４をさらに有する点で、第１の実施形態に係る画像処理装置１及び画像形成装置１０とは異なる。なお、図１２に示された各構成のうち、図９に示された構成と実質的に同一のものには同一の符号が付されている。
【００６２】
画像処理装置１のドライバ部４において、純色領域選択部４８は、ユーザにより調整された純色範囲等に基づいて純色領域を抽出し、当該純色領域を表示・入力装置１８のディスプレイに表示する。また、純色領域選択部４８は、当該純色領域に関する情報を画像データに付加する。なお、純色領域選択部４８については、後で詳述する。
【００６３】
画像形成装置１０のコントローラ部６において、純色変換部７４は、画像処理装置１のドライバ部４から送信された純色領域情報に基づいて、当該純色領域に対して純色変換処理を施す。このとき、純色変換部７４は、送信されたＲＧＢデータの純色領域に含まれる画素値を、純色情報に含まれる純色の画素値に変換する。さらに、純色変換部７４は、画素値を変換されたＲＧＢデータをＣＭＹＫ色空間の画像データに色変換する。このように、純色変換部７４は、純色領域に対して当該純色領域とは異なる領域で用いられる色変換手法（即ち、色変換部６０による色変換手法）とは異なる手法を用いて色変換する色変換手段を構成する。
【００６４】
画像合成部７２は、色変換部６０から入力された画像データと、純色変換部７４から入力された純色領域に関する画像データとを合成して階調補正部６４に対して出力する。より具体的には、画像合成部７２は、純色領域に含まれる画素については純色変換部７４から入力された画素値を選択し、当該純色領域とは異なる領域に含まれる画素については色変換部６０から入力された画素値を選択して画像データを生成する。
【００６５】
図１３は、図１２に示される純色領域選択部４８の機能構成を示すブロック図である。
図１３に示すように、純色領域選択部４８は、図１０に示される純色変換部４４の各構成要素のうち変換実行部４４６の替わりに純色領域決定部４８６を有する構成からなる。なお、図１３に示された各構成のうち、図１０に示された構成と実質的に同一のものには同一の符号が付されている。
純色領域選択部４８において、純色領域決定部４８６は、純色領域比較部４４０等により比較・抽出された純色領域に関する情報を第１のＲＧＢデータに付加する。
【００６６】
図１４は、本実施形態に係る画像処理装置１においてなされる純色変換処理（Ｓ２０）を示すフローチャートである。なお、図１４に示される各処理のうち、図１１に示される処理と実質的に同一のものには同一の符号が付されている。
図１４に示すように、Ｓ１００〜Ｓ１１６の処理において画像処理装置１の純色変換部４４では、純色領域が、純色情報及びユーザから入力された調整内容に基づいて選択される。
ステップ２００（Ｓ２００）において、純色領域選択部４８の純色領域決定部４８６は、純色領域に関する情報を第１のＲＧＢデータに付加し、ＰＤＬ変換部４０はこれらの情報を所定のページ記述言語（ＰＤＬ）で記述して、画像処理装置１０のコントローラ部６に対して出力する。
画像形成装置１０のコントローラ部６は、抽出された純色領域に対しては、当該純色領域とは異なる領域で用いられる色変換手法とは異なる手法を用いて色変換し、これらの手法それぞれにより色変換された画像データを合成する。
【００６７】
以上説明したように、本発明の実施形態に係る画像処理システムは、入力画像の純色領域を抽出し、前記抽出された入力画像の純色領域を表示し、前記抽出手段により抽出された純色領域に対しては、当該純色領域とは異なる領域で用いられる色変換手法とは異なる手法を用いて色変換する。
これにより、画像処理装置１及び画像形成装置１０がネットワークを介して接続された環境においても、画像処理装置１は、色変換モードにかかわらず、入力画像の純色領域を当該純色領域とは異なる領域と区別して表示することができ、画像形成装置１０は、純色を再現することができる。
【図面の簡単な説明】
【００６８】
【図１】ＲＧＢ系プリンタにおける色処理を示す図である。
【図２】ドライバ部４に入力されるＲＧＢ値を例示する図である。
【図３】ドライバ部４において設定される色変換モード毎に画像形成装置１０により純色再現されるＲＧＢ値を例示する図である。
【図４】本発明の実施形態に係る画像処理装置において純色範囲の調整及び入力画像の純色領域の表示を例示する図であって、図４（Ａ）は入力画像を示し、図４（Ｂ）は純色範囲の調整方法を示し、図４（Ｃ）は入力画像から抽出された純色領域の表示方法を示す。
【図５】本発明の実施形態に係る画像処理装置に記憶されている色変換モード毎の純色情報を例示する図である。
【図６】本発明の実施形態に係る画像処理装置における純色範囲の調整方法の変形例を例示する図である。
【図７】純色領域が抽出される画像領域を指定する方法を説明する図であって、図７（Ａ）は純色領域が表示されるプレビュー部３６を示し、図７（Ｂ）はプレビュー部３６において純色領域抽出のために指定された画像領域を示し、図７（Ｃ）は指定された画像領域において抽出された純色領域を示す。
【図８】本発明の実施形態に係る画像処理装置１の制御装置を中心としたハードウェア構成を示す図である。
【図９】本発明の第１の実施形態に係る画像処理装置１及び画像形成装置１０の機能構成を示すブロック図である。
【図１０】図９に示される純色変換部４４の機能構成を示すブロック図である。
【図１１】本発明の第１の実施形態に係る画像処理装置１においてなされる純色変換処理（Ｓ１０）を示すフローチャートである。
【図１２】本発明の第２の実施形態に係る画像処理装置１及び画像形成装置１０を含む画像処理システムの機能構成を示すブロック図である。
【図１３】図１２に示される純色領域選択部４８の機能構成を示すブロック図である。
【図１４】本発明の第２の実施形態に係る画像処理装置１においてなされる純色変換処理（Ｓ２０）を示すフローチャートである。
【符号の説明】
【００６９】
１ 画像処理装置
２ アプリケーション部
４ ドライバ部
６ コントローラ部
１０ 画像形成装置
１２ 制御装置
１４ ＣＰＵ
１６ メモリ
１８ 表示・入力装置
２０ 通信装置
２２ 記録装置
３０ 純色範囲調整画面
３２ 範囲調整部
３４ 対象選択部
３６ プレビュー部
４４ 純色変換部
４８ 純色領域選択部
７２ 画像合成部
７４ 純色変換部
４４０ 純色領域比較部
４４２ 表示データ生成部
４４４ 純色領域表示・選択部
４４６ 変換実行部
４４８ 純色情報記憶部
４８６ 純色領域決定部
【図１】
2007184829.tif 000003
【図２】
2007184829.tif 000004
【図３】
2007184829.tif 000005
【図４】
2007184829.tif 000006
【図５】
2007184829.tif 000007
【図６】
2007184829.tif 000008
【図７】
2007184829.tif 000009
【図８】
2007184829.tif 000010
【図９】
2007184829.tif 000011
【図１０】
2007184829.tif 000012
【図１１】
2007184829.tif 000013
【図１２】
2007184829.tif 000014
【図１３】
2007184829.tif 000015
【図１４】
2007184829.tif 000016